(57)【要約】【課題】汚物の含水率の低減による減容化とともに臭気の発生を抑えた簡易トイレの提供を目的とする。【解決手段】便室とその下に、便槽及び排気滞留室を備えた簡易トイレであって、便槽は上部の空間部に配置した蒸気過熱機と、下部の機械的撹拌装置と有し、且つ当該便槽はヒーターによる加熱機を有し、前記蒸気過熱機は過熱した水蒸気を便槽に有する汚物に当てるとともに、汚物から発生した水蒸気を過熱するものであり、便槽から発生したガス及び水蒸気を前記排気滞留室を経由して外部に排出する吸引排気装置を有することを特徴とする。【選択図】  図１
2012239835.tif 000002
【特許請求の範囲】
【請求項１】
便室とその下に、便槽及び排気滞留室を備えた簡易トイレであって、
便槽は上部の空間部に配置した蒸気過熱機と、下部の機械的撹拌装置と有し、
且つ当該便槽はヒーターによる加熱機を有し、
前記蒸気過熱機は過熱した水蒸気を便槽に有する汚物に当てるとともに、汚物から発生した水蒸気を過熱するものであり、便槽から発生したガス及び水蒸気を前記排気滞留室を経由して外部に排出する吸引排気装置を有することを特徴とする減容型簡易トイレ。
【請求項２】
前記便槽は上部の空間部に過熱蒸気により遠赤外線を放射するセラミックス体を有することを特徴とする請求項１記載の減容型簡易トイレ。
【発明の詳細な説明】
【技術分野】
【０００１】
本発明は排泄された汚物を減容化するとともに衛生的な簡易トイレに関する。
【背景技術】
【０００２】
災害時や建設工事現場、あるいは各種イベント会場、キャンプ場及び公園等においても仮設型あるいは移動型等の簡易トイレの設置が要求されている。
しかし、従来の簡易トイレは含水率の高い汚物を便槽に溜めておくものであるために短期間に便槽が満水になる問題があるのみならず、嫌な臭気が発生し、さわやかな気持ちで使用できるには程遠いものであった。
【０００３】
特許文献１は、有機分解触媒による分解浄化とヒーターによる気化減量を図ったポータブルトイレを開示するが、短期間に減量化できるものではなく、また槽内上部にプラズマ式消臭器を設けることを開示するが、汚水の気化に伴う臭いを充分に消臭できるものではない。
【先行技術文献】
【特許文献】
【０００４】
【特許文献１】特開２００４−３１３６８７号公報
【発明の概要】
【発明が解決しようとする課題】
【０００５】
本発明は、汚物の含水率の低減による減容化とともに臭気の発生を抑えた簡易トイレの提供を目的とする。
【課題を解決するための手段】
【０００６】
本発明に係る減容型簡易トイレは、便室とその下に、便槽及び排気滞留室を備えた簡易トイレであって、便槽は上部の空間部に配置した蒸気過熱機と、下部の機械的撹拌装置と有し、且つ当該便槽はヒーターによる加熱機を有し、前記蒸気過熱機は過熱した水蒸気を便槽に有する汚物に当てるとともに、汚物から発生した水蒸気を過熱するものであり、便槽から発生したガス及び水蒸気を前記排気滞留室を経由して外部に排出する吸引排気装置を有することを特徴とする。
【０００７】
本発明は、便槽の上部空間部に蒸気過熱機を配置したので、外部から供給する水蒸気を３５０〜６００℃のドライ蒸気に過熱するとともに汚物から発生したガス成分がこの過熱蒸気の有する還元作用により分解される。
また、汚物から発生する水蒸気も過熱され、還元水蒸気として用いることができる。
【０００８】
また、便槽は上部の空間部に過熱蒸気により遠赤外線を放射するセラミックス体を有するようにすると、汚物の加熱効果が向上し、減容化が促進される。
【０００９】
本発明で便槽にヒーターによる加熱機を設けたのは、過熱蒸気の温度が急激に低下しないようにしたものであり、蒸気の熱源にて遠赤外線を放射するセラミックス体を配置したことにより、ヒーターの消費電力の低減を図ることができる。
また、本発明で排気滞留室を設けたのは低酸素状態の過熱蒸気が汚物から発生するガス成分と充分に反応するようにしたものであり、便槽の底部蓄積物の温度を温度センサーで検知することで、汚物の水分蒸発モードから乾燥固形化モードに切り換えることも可能である。
乾燥固形化モードでは、３５０〜６００℃の過熱蒸気を用いたことにより、タール成分等も還元分解され、粉末状の炭化物にすることもできる。
また、簡易トイレ全体を還元雰囲気化することで便室内の臭いも抑えられ、衛生的である。
【発明の効果】
【００１０】
本発明に係る汚物の減容手段は、３５０〜６００℃の過熱蒸気を汚物に向けて噴射するとともに汚物から発生したガス成分や水蒸気も過熱するので、還元雰囲気下で減容が進行するので臭気成分も分解され、さわやかな使用状態を維持できる。
また、簡易トイレの便槽として使用しながら乾燥減容化を行うことができるので、トイレ全体の小型化が容易で、排ガス処理装置や排水処理装置が不要で安価に製作できる。
さらには、汚物が減容化されつつ蓄積し、所定量になると炭化物にして回収することができるので、従来の有機物の発酵分解と比較してサラサラとした炭化物として回収することになり、嫌な臭いもなく作業性がよい。
なお、本発明に用いる機械的撹拌装置として、発明者吉村清己が先に特許出願した（特開２００８−２８１２６４号）、３軸中空式撹拌機を用いると、コンパクトで効率が高い。
【図面の簡単な説明】
【００１１】
【図１】簡易トイレの側面図を示し、便槽は断面を示す。
【図２】便槽の拡大図を示す。
【図３】簡易トイレの正面図を示し、便槽は断面図を示す。
【図４】便槽の拡大図を示す。
【図５】便槽の透視斜視図を示す。
【発明を実施するための形態】
【００１２】
本発明に係る簡易トイレ１０の構造例を以下、図面に基づいて説明する。
簡易トイレ１０は便室１１の下に便槽１２を有し、便槽１２は底部側に３軸中空式撹拌装置１４を有する。
撹拌機は汚物を機械的に撹拌できれば本実施例に限定されないが、本実施例は本発明者のメンバーである吉村清己らが先に特許出願した発明（特開２００８−２８１２６４号）を取り込んだものである。
２本の第１撹拌スクリュー１４ｂ，１４ｂを平行に略水平に配置し、この２本の第１撹拌スクリュー１４ｂ，１４ｂの間であって便槽の底部側に１本の第２撹拌スクリュー１４ｃを配置し、駆動モーター１４ａを用いてこれらの撹拌スクリューをチェーン１４ｄにて回転させる。
ここで、第１撹拌スクリュー１４ｂ，１４ｂと第２撹拌スクリュー１４ｃは、被撹拌物の移動方向が逆になるようになっている。
これにより、比較的少ない抵抗にて汚物を充分に撹拌する。
また、汚物以外のものが混入しても撹拌できる。
【００１３】
便槽１２の空間部の上部に水蒸気を３５０〜６００℃に過熱する、例えばコイル状の蒸気過熱機１５を有する。
小型の蒸気発生器１７の給水口１７ａに外部配管され水量が調整されつつ、この蒸気発生器１７に給水された水は加熱され水蒸気となる。
発生した水蒸気は便槽１２の上部に配置した上記の蒸気過熱機で３５０〜６００℃に過熱され、ドライスチームとして便槽内に噴射される。
噴射されたドライスチームの一部は、便槽内に配置したセラミックス体１６に当たる。
セラミックス体１６は酸化ケイ素及びアルミナ系の鉱石を粉末にした後にボール状に焼結成形したものであり、加熱されると遠赤外線が放射され、汚物の加熱や汚物から発生したガス成分と過熱蒸気との反応の促進に寄与する。
【００１４】
便槽の底部にはヒーター１６を適宜配置し、過熱蒸気が急激に冷却されないように温度センサー１６ａを介して汚物の加熱状態を制御する。
【００１５】
便室１１は正面にドア１１ａを設け、ステップ１１ｃを介してノブ１１ｂ等の操作により室内に出入りできるようになっていて、室内の床部１１ｄに図示を省略した便器を有し、用をたすことができる。
床部１１ｄは断熱材で覆った便槽１２の上部に位置し、床部１１ｄと便槽１２との間には天板１３ａとその下側の仕切天板１３ｂとからなる排気滞留室１３を有する。
排気滞留室１３の構造は図５に示すように密閉状態の天板１３ａの下に通気孔１３ｃを複数個設けた仕切天板１３ｂとの二重構造になっている。
汚物が撹拌装置１４により撹拌されている状態で汚物に向けて過熱蒸気が噴射され、ヒーター１６の加熱と協働して汚物の水分が蒸発し、乾燥減容化が進行する。
この際に蒸気過熱機１５を便槽の空間上部に配置してあるので、汚物から発生した水蒸気も過熱され反応性が増す。
ドライスチームは反応性に富み、汚物から発生する臭いやタール分等のガス成分も還元雰囲気下で分解される。
本発明は便槽１２と便室１１の床部１１ｄとの間に概ね床面の全面にわたって排気滞留室１３を設けたことにより、汚物から発生するガスと過熱蒸気との反応を促進するとともに便室１１の下部全体が還元雰囲気になることで便室１１全体が衛生的になる。
排気滞留室１３は排気管１８と接続してあり、排気管１８の上部に設けた吸引ファン１９により排気滞留室内のガスが吸引され、大気中に放出される。
従って、排気滞留室１３内は極かに負圧状態になっているため、便室１１に設けた便器は汚物流出口１１ｄを介して便槽１２と連通しているが、便槽内で発生したガスが便室１１に逆流しない。
便室に設ける便器は和式、洋式を問わずに設けることができ、水洗式の場合は節水型のものが好ましい。
【００１６】
簡易トイレ１０は水分量に応じて間欠運転も可能であり、加熱モードを温度検知制御により汚物の水分蒸発モードとさらに加熱炭化処理する乾燥固形化モードに切り換えることも可能である。
汚物の減容化が進むので簡易トイレとしての連続使用期間が飛躍的に延び、所定量になると炭化し、粉末状にした残渣物として簡単に取り出すことができる。
【００１７】
本発明に係る簡易トイレは過熱蒸気による低酸素の還元状態で減容化が進行するので、そのまま排ガス及び排蒸気を大気中に放出しても問題がないが排気途中に冷却器を設けて蒸気を水として回収してもよく、さらには活性炭等を充填した脱臭器を冷却器の後に設けてもよい。
【符号の説明】
【００１８】
１０      簡易トイレ
１１      便室
１１ａ    ドア
１１ｂ    ノブ
１１ｃ    ステップ
１２      便槽
１３      排気滞留室
１４      撹拌装置
１５      蒸気過熱機
１６      セラミックス体
１７      蒸気発生器
１７ａ    給水口
１８      排気管
１９      吸引ファン
【図１】
2012239835.tif 000003
【図２】
2012239835.tif 000004
【図３】
2012239835.tif 000005
【図４】
2012239835.tif 000006
【図５】
2012239835.tif 000007